(57)【要約】【課題】耐久性が高くかつ分別機能の高いスケルトンバケットを得る【解決手段】バケット本体（２１）の底部を、多数の分別孔（２７）を有する格子フレーム（２４）により形成してなるスケルトンバケットにおいて、前記格子フレーム（２４）の内面に、その左右幅方向の略全域に亘って延びる抵抗桟（２６ａ）を上下方向に所定の間隔をおいて突出固定する。また、格子フレーム（２４）は上下方向に延びる多数のたて桟（２５）と、左右方向に延びる多数の横桟（２６）とを交叉させて形成するとともに、前記各横桟（２６）を前記たて桟（２５）に対して内方に突出させ、該突出部を抵抗桟（２６ａ）とする。【選択図】図１
2005200911.tif 000002
【特許請求の範囲】
【請求項１】
バケット本体（２１）の底部を、多数の分別孔（２７）を有する格子フレーム（２４）により形成してなるスケルトンバケットにおいて、前記格子フレーム（２４）の内面に、その左右幅方向の略全域に亘って延びる抵抗桟（２６ａ）を上下方向に所定の間隔をおいて突出固定したことを特徴とするスケルトンバケット。
【請求項２】
格子フレーム（２４）は上下方向に延びる多数のたて桟（２５）と、左右方向に延びる多数の横桟（２６）とを交叉させて形成するとともに、前記各横桟（２６）を前記たて桟（２５）に対して内方に突出させ、該突出部を抵抗桟（２６ａ）としたことを特徴とする請求項１記載のスケルトンバケット。
【発明の詳細な説明】
【技術分野】
【０００１】
本発明は、バケット本体の底部を多数の分別孔を有する格子フレームによって形成し、該格子フレームによって物を分別してすくうスケルトンバケットに関するものである。
【背景技術】
【０００２】
河川を清掃する際に草木類を土石から分離して回収したり、建物の解体物を撤去する際に板片、金属片等の異物を破砕コンクリートから分離して回収したりする場合がある。このように比較的長いもの、あるいは大きなものを分別してすくうアタッチメントのひとつにスケルトンバケットがある。
【０００３】
ところで、従来のスケルトンバケットは図５、あるいは図６に示すようになっていた。まず、図５において、１は格子フレーム４に多数のひっかけ用の棒材６を設けたスケルトンバケットであり、 略半楕円形をした左右側板２ａ，２ｂの上部と下部とを上部横枠３ａと下部横枠３ｂとで一体的に結合し、左右側板２ａ，２ｂと上下横枠３ａ，３ｂとで囲まれた湾曲背面に格子フレーム４を一体的に結合する。該格子フレーム４は、細長い角形綱材からなる多数のたて桟４ａと横桟４ｂとを所定ピッチで井桁状に突き合わせて一体的に結合し、各たて桟４ａと横桟４ｂとにより多数の分別孔５を形成してなる。そして、上記各たて桟４ａと横桟４ｂとの交差部に短尺なひっかけ用の棒材６を内方に向けて起立固定する。また、上記上部横枠３ａにパワーショベルなどの土木機械の作動リンク（図示省略）に連結されるピン孔７ａ付きのステイ７を取付け、下部横枠３ｂの先端縁部に多数の爪８を左右に所定ピッチで取付ける。
【０００４】
また、図６に示すスケルトンバケット１０は以下のようになっている。即ち、 略半楕円形をした左右側板１１ａ，１１ｂの上部と下部とを上部横枠１２ａと下部横枠１２ｂとで一体的に結合し、左右側板１１ａ，１１ｂと上下横枠１２ａ，１２ｂとで囲まれた湾曲背面に格子フレーム１３を一体的に結合する。該格子フレーム１３は、円弧状に裁断した鋼板製のたて桟１３ａを左右方向に所定ピッチで配列してその上下端部を上部横枠１２ａと下部横枠１２ｂとに一体的に結合し、各たて桟１３ａに丸棒からなる横桟１３ｂを上下に所定ピッチで挿通して一体的に結合し、各たて桟１３ａと各横桟１３ｂとにより多数の分別孔１４を形成してなる。そして、上記上部横枠１２ａにパワーショベルなどの土木機械の作動リンクに連結されるピン孔１５ａ付きのステイ１５を取付け、下部横枠１３ｂの先端縁部に多数の爪１５を左右に所定ピッチで取付ける。
【特許文献１】特開２０００−１９２４９６号公報
【発明の開示】
【発明が解決しようとする課題】
【０００５】
上記図５に示すものは、河川の川底、あるいは建物の解体物等の対象物をすくい、分別するためにスケルトンバケット１を前後に振ると、小物の土石、破砕コンクリートが分別孔５から排出するとともに、草木類、板片、金属片等の長物が棒材６に引っ掛かり、これらを効率よく回収することができる。しかしながら、上記棒材６は、格子フレーム１３に小面積で固着されているため、対象物中の石、コンクリート片等によって大きな負荷を受けると棒材６が格子フレーム４から離脱したり、曲がったりするものであった、
【０００６】
また、図６に示すものは、横桟１３ｂがたて桟１３ａよりも低くなっているため、バケット内に引っ掛かるものがなく、特に粘土質の対象物をすくった際に、該対象物が粉砕され難く、また、スケルトンバケット１０を前後に振った際に、分別された草木類、板片、金属片等の長物がバケットの前部側から排出され易く、これらを回収することが困難になるものであった。本発明は、耐久性が高くかつ分別機能の高いスケルトンバケットを得ることを目的とする。
【課題を解決するための手段】
【０００７】
本発明は、上記目的を達成するために以下の如く構成したものである。即ち、請求項１に係る発明は、バケット本体の底部を、多数の分別孔を有する格子フレームにより形成し、前記格子フレームの内面に、その左右幅方向の略全域に亘って延びる抵抗桟を上下方向に所定の間隔をおいて突出固定する構成にしたものである。
請求項２に係る発明は、前記格子フレームを、上下方向に延びる多数のたて桟と、左右方向に延びる多数の横桟とを交叉させて形成するとともに、前記各横桟を前記たて桟に対して内方に突出させ、該突出部を抵抗桟としたものである。
【発明の効果】
【０００８】
本願の請求項１に係る発明は、格子フレームの内面に突出固定する抵抗桟を、該格子フレームの左右幅方向の略全域に亘って延長させるようにしたので、抵抗桟をその長手方向の複数箇所で格子フレームの各たて桟に固着することができる。このため、抵抗桟は格子フレームに強固に結合され、大きな負荷に耐えることができる。また、上記抵抗桟は、格子フレームの内面に上下方向に所定の間隔をおいて突出固定したので、土砂あるいは建物の解体物等の対象物をすくった際に、固まった対象物が多数の抵抗桟に衝突して割れながらバケット本体内に入り、また、この状態でバケット本体を前後に振ると、対象物が上記多数の抵抗桟に激しく衝突し、固まっていた対象物が良好に細分化され、土砂、破砕コンクリート等の小物は各分別孔から外部に排出され、対象物に混入していた草木類、板片、金属片等の長物は抵抗桟に引っ掛って捕捉されるとともに、左右方向に整列され、これらを効率よく回収することができる。
請求項２に係る発明は、格子フレームの各横桟を左右方向に延長させるとともに、該横桟をたて桟に対して内方に突出させ、該突出部を抵抗桟としたので、抵抗桟を格子フレームを構成する部品を利用して形成することができ、構造が簡素になって軽量になるとともに、安価に得ることができる。
【発明を実施するための最良の形態】
【０００９】
以下本発明の実施例を図面に基いて説明する。図１は本発明の第１実施例を示すスケルトンバケットの斜視図、図２は図１の横断図、図３は抵抗桟の第２例を示す要部横断面図、図４は抵抗桟の第３例を示す要部横断面図である。
【００１０】
図１において、２０はスケルトンバケット、２１はバケット本体である。該バケット本体２１は、略半楕円形をした左右側板２２ａ，２２ｂの上部と下部とを上部横枠２３ａと下部横枠２３ｂとで一体的に結合し、左右側板２２ａ，２２ｂと上下横枠２３ａ，２３ｂとで囲まれた湾曲背面に格子フレーム２４を一体的に結合してなる。
【００１１】
上記格子フレーム２４は、円弧状に裁断した鋼板製のたて桟２５を左右方向に所定ピッチで配列してその上下端部を上部横枠２３ａと下部横枠２３ｂとに一体的に結合し、各たて桟２５の内面（上面）側に丸棒からなる横桟２６を上下方向に所定ピッチで配列して一体的に結合し、各たて桟２５と各横桟２６とにより多数の分別孔２７を形成する。この場合、上記各たて桟２５と各横桟２６とは図２に示すようにして結合する。即ち、各縦桟２５の内面側に半円状の係止溝２５ａを上下（長手方向）に所定ピッチで形成し、該係止溝２５ａに各横桟２６の下半部を嵌合させて両者を溶接により一体的に結合する。
【００１２】
これにより、各横桟２６の上半部を上記各縦桟２５から内方に突出させ、該突出部を抵抗桟２６ａとする。なお、上記抵抗桟２６ａは、横桟２６とは別体部品となる棒材を格子フレーム２４の内面側に上下方向に所定ピッチで配列して該格子フレーム２４に一体的に結合するようにしてもよい。
【００１３】
上記上部横枠２３ａにステイ２８を取付けるとともに、該ステイ２８にパワーショベルなどの土木機械の作動リンク（図示省略）に連結されるピン孔２８ａを形成する。また、下部横枠２３ｂの先端縁部に多数の爪２９を左右に所定ピッチで取付けてスケルトンバケット２０を構成する。
【００１４】
図３は抵抗桟の第２例を示す。図３において、２４は格子フレーム、２５はたて桟、２６−１は横桟である。この横桟２６−１は上部側の角部を面取りした断面台状とし、各縦桟２５の内面側に矩形の係止溝２５ａを上下（長手方向）に所定ピッチで形成し、該係止溝２５ａに各横桟２６−１の下半部を嵌合させて両者を溶接により一体的に結合し、各横桟２６−１の上半部を上記各縦桟２５から内方に突出させ、該突出部を抵抗桟２６ａ−１とする。
【００１５】
図４は抵抗桟の第３例を示す。図４において、２４は格子フレーム、２５はたて桟、２６−２は横桟である。この横桟２６−２は断面矩形とし、その下面を各縦桟２５の内面側に直接載置して両者を溶接により一体的に結合し、各横桟２６−２の全部を上記各縦桟２５から内方に突出させ、該突出部を抵抗桟２６ａ−２とする。
【００１６】
上記実施例によれば、格子フレーム２４の内面に突出する抵抗桟２６ａ（２６ａ−１，２６ａ−２）を、該格子フレーム２４の左右幅方向の略全域に亘って延長させ、該抵抗桟２６ａをその長手方向の複数箇所で各たて桟２５に固着したので、抵抗桟２６ａが格子フレーム２４に強固に結合されることになる。このため、土砂あるいは建物の解体物等の対象物をすくった際に抵抗桟２６ａに大きな衝撃が加わっても、該抵抗桟２６ａが格子フレーム２４から離脱することがなくなる。
【００１７】
また、上記抵抗桟２６ａを格子フレーム２４の内面に上下方向に所定の間隔をおいて突出固定したので、土砂あるいは建物の解体物等の対象物をすくった際に、固まった対象物が多数の抵抗桟２６ａに衝突して割れながらバケット本体２１に入り、この状態でバケット本体２１を前後に振ると、対象物が多数の抵抗桟２６ａに激しく衝突し、固まっていた対象物が良好に細分化され、土砂、破砕コンクリート等の小物は各分別孔２７から外部に排出され、対象物に混入していた草木類、板片、金属片等の長物は抵抗桟２６ａに引っ掛って捕捉されるとともに、左右方向に整列され、これらを効率よく回収することができる。
【００１８】
また、格子フレーム２４の各横桟２６（２６−１，２６−２）を左右方向に延長させるとともに、該横桟２６をたて桟２５から内方に突出させ、該突出部を抵抗桟２６ａ（２６ａ−１，２６ａ−２）としたので、抵抗桟２６ａを別体部品で形成する必要がなくなる。このため、バケット本体２１は、その構成部品が低減して軽量になるとともに、安価に得ることができる。
【図面の簡単な説明】
【００１９】
【図１】本発明の第１実施例を示すスケルトンバケットの斜視図である。
【図２】図１の横断図である。
【図３】抵抗桟の第２例を示す要部横断面図である。
【図４】抵抗桟の第３例を示す要部横断面図である。
【図５】第１従来例のスケルトンバケットを示す斜視図である。
【図６】第２従来例のスケルトンバケットを示す斜視図である。
【符号の説明】
【００２０】
２０    スケルトンバケット
２１    バケット本体
２２ａ  左側板
２２ｂ  右側板
２３ａ  上部横枠
２３ｂ  下部横枠
２５    たて桟
２５ａ  係止溝
２６（２６−１，２６−２）    横桟
２６ａ（２６ａ−１，２６ａ−２）  抵抗桟
２７    分別孔
２８    ステイ
２８ａ  ピン孔
２９    爪
【図１】
2005200911.tif 000003
【図２】
2005200911.tif 000004
【図３】
2005200911.tif 000005
【図４】
2005200911.tif 000006
【図５】
2005200911.tif 000007
【図６】
2005200911.tif 000008